(57)【要約】【課題】プラグの抜けを抑制すること及びコンセント本体の耐久性の低下を抑制することのできるコンセント用プレート、及びこれを含む埋込コンセントを提供する。【解決手段】このコンセント用プレート３は、施工面に固定され、栓刃挿入口１１が設けられたコンセント１の前面側をコンセント本体挿入孔３１から露出させる。そして、施工面とは反対側にあるコンセント用プレート３の面であるプレート表面には、コンセント本体挿入孔３１を覆い閉状態となる動作及びコンセント本体挿入孔３１から離間して開状態となる動作を行うカバー４１が設けられ、このカバー４１には、プラグ５０の栓刃５１が栓刃挿入口１１に挿入された状態を保持する凹部４２が設けられる。【選択図】図５
2011129307.tif 000002
【特許請求の範囲】
【請求項１】
施工面に固定され、栓刃挿入口が設けられたコンセントの前面側を開口部から露出させるコンセント用プレートにおいて、
前記施工面とは反対側にある当該コンセント用プレートの面であるプレート表面には、前記開口部を覆い閉状態となる動作及び前記開口部から離間して開状態となる動作を行う扉体が設けられ、
この扉体には、プラグの栓刃が前記栓刃挿入口に挿入された状態を保持する保持部が設けられる
ことを特徴とするコンセント用プレート。
【請求項２】
請求項１に記載のコンセント用プレートにおいて、
前記栓刃挿入口に栓刃が挿入された状態のプラグに向けて前記扉体を付勢する付勢部を含む
ことを特徴とするコンセント用プレート。
【請求項３】
請求項１または２に記載のコンセント用プレートにおいて、
前記保持部にはプラグボディの段差部と互いに係合する係合部が設けられる
ことを特徴とするコンセント用プレート。
【請求項４】
請求項１〜３のいずれか一項に記載のコンセント用プレートにおいて、
前記扉体は、回転が可能な状態で前記プレート表面に取り付けられるとともに、前記プレート表面への取付部が前記開口部の下方に設けられるものである
ことを特徴とするコンセント用プレート。
【請求項５】
請求項１〜４のいずれか一項に記載のコンセント用プレートにおいて、
前記プレート表面には、プラグの形状に対応した凹部が設けられ、
この凹部の底面に前記開口部が形成される
ことを特徴とするコンセント用プレート。
【請求項６】
請求項１〜５のいずれか一項に記載のコンセント用プレートにおいて、
当該コンセントは、一度に複数のプラグを挿入することができるものであり、
前記開口部は、複数のプラグのそれぞれに対応して複数設けられるものであり、
前記扉体は、複数の開口部のそれぞれに対応して複数設けられるものである
ことを特徴とするコンセント用プレート。
【請求項７】
請求項１〜６いずれか一項に記載のコンセント用プレートと、同コンセント用プレートを施工面に固定する取付枠と、同コンセント用プレートの開口部から栓刃挿入口が設けられる前面側を露出させた状態で取付枠に保持されるコンセント本体とを含む埋込コンセント。
【発明の詳細な説明】
【技術分野】
【０００１】
本発明は、施工面に固定され、コンセントの栓刃挿入口が設けられる前面側を開口部から露出させるコンセント用プレートに関する。
【背景技術】
【０００２】
上記コンセント用プレートとしては、例えば特許文献１に記載のものが知られている。
特許文献１のコンセント用プレートでは、コンセント本体に挿入されたプラグが回転したときに、プラグの栓刃に設けられた孔にコンセント本体の突起が嵌め込まれる構造を採用している。これにより、使用者がプラグをコンセント本体に挿入し、その後にプラグを回転させたとき、栓刃の孔とコンセント本体の突起との係合によりプラグの抜けが抑制されるようになる。
【先行技術文献】
【特許文献】
【０００３】
【特許文献１】特開２００１−１８５２８９号公報
【発明の概要】
【発明が解決しようとする課題】
【０００４】
特許文献１のコンセント用プレートは、プラグの抜けを抑制するためにプラグをコンセント本体に挿入した状態でプラグを回転させることが必要となるため、プラグを挿入する毎にコンセント本体の耐久性の低下をまねくことが懸念される。
【０００５】
本発明はこのような実情に鑑みてなされたものであり、その目的は、プラグの抜けを抑制すること及びコンセント本体の耐久性の低下を抑制することのできるコンセント用プレート、及びこれを含む埋込コンセントを提供することにある。
【課題を解決するための手段】
【０００６】
以下、上記目的を達成するための手段及びその作用効果について記載する。
（１）請求項１に記載の発明は、施工面に固定され、栓刃挿入口が設けられたコンセントの前面側を開口部から露出させるコンセント用プレートにおいて、前記施工面とは反対側にある当該コンセント用プレートの面であるプレート表面には、前記開口部を覆い閉状態となる動作及び前記開口部から離間して開状態となる動作を行う扉体が設けられ、この扉体には、プラグの栓刃が前記栓刃挿入口に挿入された状態を保持する保持部が設けられるものであることを要旨としている。
【０００７】
この発明によれば、栓刃挿入口に栓刃が挿入された状態のプラグが保持部により支持されるため、コンセントからのプラグの抜けを抑制することができる。また、プラグの抜止効果を得るうえで、栓刃挿入口に栓刃が挿入された状態のプラグをコンセント本体に対して回転させる必要がないため、コンセント本体の耐久性の低下を抑制することができる。さらに、プラグの栓刃が栓刃挿入口に挿入された状態を保持する保持部を有する扉体を設けているため、汎用のコンセント本体を用いてプラグを抜け止めすることができる。
【０００８】
（２）請求項２に記載の発明は、請求項１に記載のコンセント用プレートにおいて、
前記栓刃挿入口に栓刃が挿入された状態のプラグに向けて前記扉体を付勢する付勢部を含むことを要旨としている。
【０００９】
従来のコンセント用プレートにおいては、使用者がプラグをコンセントに挿入した後にこのプラグを回転させることを忘れたときには、プラグの抜け止めを抑制する効果が得られない。上記発明によれば、保持部をプラグに向けて付勢する付勢部を含んでいるため、保持部をプラグに接触させた後は、使用者が特別の操作を行わなくとも付勢部の付勢によりプラグの抜止効果を得ることができる。
【００１０】
（３）請求項３に記載の発明は、請求項１または２に記載のコンセント用プレートにおいて、前記保持部にはプラグボディの段差部と互いに係合する係合部が設けられることを要旨としている。
【００１１】
この発明によれば、栓刃挿入口に栓刃が挿入された状態のプラグボディの段差部と保持部の係合部とが互いに係合するため、プラグが埋込コンセントから抜けることをより確実に抑制することができる。
【００１２】
（４）請求項４に記載の発明は、請求項１〜３のいずれか一項に記載のコンセント用プレートにおいて、前記扉体は、回転が可能な状態で前記プレート表面に取り付けられるとともに、前記プレート表面への取付部が前記開口部の下方に設けられるものであることを要旨としている。
【００１３】
この発明によれば、回転が可能な状態で扉体がプレート表面に取り付けられるとともに、プレート表面への取付部が栓刃挿入口の下方に設けられるため、当該埋込コンセントが使用者よりも低いところに配置されているときには、使用者が栓刃挿入口の位置を容易に視認することができる。
【００１４】
（５）請求項５に記載の発明は、請求項１〜４のいずれか一項に記載のコンセント用プレートにおいて、前記プレート表面には、プラグの形状に対応した凹部が設けられ、この凹部の底面に前記開口部が形成されることを要旨としている。
【００１５】
この発明によれば、プレート表面の凹部の底面が開口されて、開口部が設けられているため、プラグの栓刃が栓刃挿入口に差し込まれたとき、栓刃の根元となるプラグの面は本体の表面よりも奥側にある凹部の底面と接触する。従って、栓刃挿入口に差し込まれた栓刃が露出することをより好適に抑制することができる。
【００１６】
（６）請求項６に記載の発明は、請求項１〜５のいずれか一項に記載のコンセント用プレートにおいて、当該コンセントは、一度に複数のプラグを挿入することができるものであり、前記開口部は、複数のプラグのそれぞれに対応して複数設けられるものであり、前記扉体は、複数の開口部のそれぞれに対応して複数設けられるものであることを要旨としている。
【００１７】
この発明によれば、複数の開口部のそれぞれに対応して複数の保持部が設けられるため、複数の栓刃挿入口が設けられる埋込コンセントにおいて各プラグの抜けを好適に抑制することができる。
【００１８】
（７）請求項７に記載の発明は、請求項１〜６いずれか一項に記載のコンセント用プレートと、同コンセント用プレートを施工面に固定する取付枠と、同コンセント用プレートの開口部から栓刃挿入口が設けられる前面側を露出させた状態で取付枠に保持されるコンセント本体とを含む埋込コンセントであることを要旨としている。
【発明の効果】
【００１９】
本発明によれば、プラグの抜けを抑制すること及びコンセント本体の耐久性の低下を抑制することのできるコンセント用プレート、及びこれを含む埋込コンセントを提供することができる。
【図面の簡単な説明】
【００２０】
【図１】本発明の埋込コンセントを具体化した第１実施形態について、同コンセントの分解斜視構造を示す斜視図。
【図２】同実施形態のコンセントに挿入するプラグについて、（ａ）はその斜視構造を示す斜視図、（ｂ）はその正面構造を示す正面図。
【図３】同実施形態の埋込コンセントについて、（ａ）はその正面構造を示す正面図、（ｂ）はその断面構造を示す断面図。
【図４】同実施形態の埋込コンセントについて、（ａ）はその正面構造を示す正面図、（ｂ）はその側面構造を示す側面図。
【図５】同実施形態の埋込コンセントについて、（ａ）はプラグが挿入されたときの正面構造を示す正面図、（ｂ）はプラグが挿入されたときの側面構造を示す側面図。
【図６】同実施形態の埋込コンセントについて、埋込コンセントにプラグを差し込むときの手順を示す手順図。
【図７】本発明の埋込コンセントを具体化した第２実施形態について、（ａ）は同コンセント用プレートの正面構造を示す正面図、（ｂ）は同コンセント用プレートの断面構造を示す断面図。
【図８】同実施形態の埋込コンセントについて、（ａ）はプラグが挿入されていないときの側面構造を示す側面図、（ｂ）はプラグが挿入されたときの側面構造を示す側面図。
【図９】本発明の埋込コンセントを具体化した第３実施形態について、同コンセントの分解斜視構造を示す斜視図。
【図１０】同実施形態の埋込コンセントについて、その側面構造を示す側面図。
【図１１】同実施形態の埋込コンセントについて、埋込コンセントにプラグを差し込むときの手順を示す手順図。
【図１２】本発明の埋込コンセントを具体化した第４実施形態について、同コンセントの分解斜視構造を示す斜視図。
【図１３】本発明の埋込コンセントを具体化した第５実施形態について、同コンセントの分解斜視構造を示す斜視図。
【発明を実施するための形態】
【００２１】
（第１実施形態）
図１〜図６を参照して、本発明の第１実施形態について説明する。この実施形態では、電気自動車の充電用プラグを差し込むことのできる埋込コンセントとして本発明を具体化した一例を示している。また、家屋においての埋込コンセントの取り付け位置が屋内の場合を想定している。本実施形態では、埋込コンセントの各構成要素について、その室内側の面を「表面」とし、これとは反対側の面を「裏面」とする。
【００２２】
図１に示されるように、埋込コンセント１は、施工面１００（図３参照）の電源Ｅに接続されるコンセント本体１０と、施工面１００に対するコンセント本体１０の位置を固定する取付枠２０と、取付枠２０の室内側の面を覆うコンセント用プレート３と、埋込コンセント１からのプラグ５０抜けを抑制するロック機構４０とを含めて構成されている。コンセント本体１０としては、通常の家庭で使用される２極接地極付コンセント１５Ａ１２５Ｖ用のものが設けられている。
【００２３】
以下では、埋込コンセント１の各方向を次のように示す。
施工面１００に取り付けられた埋込コンセント１を使用者が表面側から見たときの左右方向を「左右方向Ｘ」として示し、左右方向Ｘのうち表面側から見た左方向を「左方向Ｘ１」として示し、左右方向Ｘのうち表面側から見た右方向を「右方向Ｘ２」として示す。
【００２４】
施工面１００に取り付けられた埋込コンセント１を使用者が表面側から見たときの上下方向を「上下方向Ｙ」として示し、上下方向Ｙのうち上方向を「上方向Ｙ１」として示し、上下方向Ｙのうち下方向を「下方向Ｙ２」として示す。
【００２５】
施工面１００に取り付けられた埋込コンセント１を使用者が表面側から見たときの奥行方向を「奥行方向Ｚ」として示し、奥行方向Ｚのうち施工面１００側から室内側に向かう方向を「表方向Ｚ１」として示し、奥行方向Ｚのうち表面側から施工面１００側に向かう方向を「裏方向Ｚ２」として示す。
【００２６】
コンセント本体１０には、プラグ５０の栓刃５１を挿入するため２つの栓刃挿入口１１と、プラグ５０の接地極５２を挿入するための１つの接地極挿入口１２と、コンセント本体１０を取付枠２０に固定するための突起部１３とが設けられている。
【００２７】
取付枠２０には、コンセント本体１０の表側端部の周囲を支持するためのコンセント本体支持部２１と、コンセント本体１０の突起部１３をはめ込むための嵌込部２４と、プレート本体３０を取付枠２０に固定するねじ３４のための２つのねじ孔２２とが設けられている。ねじ孔２２の一方は、上下方向Ｙにおいてコンセント本体支持部２１の上方向Ｙ１側に設けられている。ねじ孔２２の他方は、上下方向Ｙにおいてコンセント本体支持部２１の下方向Ｙ２側に設けられている。コンセント本体支持部２１には、上方向Ｙ１側と下方向Ｙ２側の端部にコンセント本体１０を取り付けるための凹部としてのコンセント本体嵌込部２４が設けられている。
【００２８】
コンセント用プレート３は、取付枠２０の室内側の面を覆うプレート本体３０と、コンセント本体１０に挿入された状態のプラグ５０を抜け止めするロック機構４０とから構成されている。
【００２９】
プレート本体３０には、コンセント本体１０の表方向Ｚ１側の端部を挿入するための本体挿入孔３１と、プレート本体３０を取付枠２０及び施工面１００に固定するねじ３４のための２つのねじ孔３２と、ロック機構４０のカバー４１を取り付けるための取付部３３とが設けられている。本体挿入孔３１は、奥行方向Ｚにおいてコンセント本体１０と対応する位置に設けられている。取付部３３は、上下方向Ｙにおいて本体挿入孔３１の下方に設けられている。ねじ孔３２の一方は、上下方向Ｙにおいて本体挿入孔３１の上方向Ｙ１側に設けられている。ねじ孔３２の他方は、上下方向Ｙにおいて取付部３３の下方向Ｙ２側に設けられている。
【００３０】
ロック機構４０は、コンセント本体１０に挿入された状態のプラグ５０を支持するカバー４１と、プレート本体３０に設けられた取付部３３と、取付部３３とカバー４１とを接続する心棒４７と、カバー４１を付勢するばね４５とを含めて構成されている。カバー４１の下方向Ｙ２側の端部には、取付部３３に取り付けるための取付部４６が設けられている。
【００３１】
図２を参照して、プラグ５０の詳細な構造について説明する。
図２（ａ）に示されるように、プラグ５０には、使用者がプラグ５０を把持するためのプラグボディ５４と、プラグボディ５４の先端部から突出する一対の栓刃５１及び接地極５２とが設けられている。プラグボディ５４の後端部には、栓刃５１が受けた電力を機器に供給するためのケーブル５３が設けられている。プラグボディ５４は樹脂材料を射出成形することにより成形されている。栓刃５１としては、上下方向Ｙ及び左右方向Ｘに沿う断面の形状が矩形状であり、且つ上下方向Ｙの辺が左右方向Ｘの辺よりも長い形状のものが設けられている。接地極５２としては、丸ピン形状のものが設けられている。栓刃５１及び接地極５２について、プラグボディ５４の先端面からの突出量は接地極５２の方が栓刃５１よりも大きい。
【００３２】
プラグボディ５４両側面には、使用者がプラグボディ５４を把持するための平面形状の把持部５６が設けられている。プラグボディ５４の下部には、本体部分から下方向Ｙ２に向けて突出する段差部５５が設けられている。プラグボディ５４の上部には、使用者がプラグ５０の方向を視認するときに利用する位置表示部５７が設けられている。位置表示部５７が上方向Ｙ１に位置する状態のとき、栓刃５１及び接地極５２をコンセント本体１０に挿入することができる。
【００３３】
図２（ｂ）に示されるように、段差部５５には、平面形状の下端部５５Ａと、下端部５５Ａから裏方向Ｚ２に向かうにつれて上方向Ｙ１に傾斜する前方傾斜部５５Ｂと、下端部５５Ａから左右方向Ｘに向かうにつれて上方向Ｙ１に傾斜する側方傾斜部５５Ｃとが設けられている。前方傾斜部５５Ｂの左右方向Ｘの幅は、裏方向Ｚ２に向かうにつれて次第に大きくなる。
【００３４】
図３を参照して、ロック機構４０のより詳細な構造、及び施工面１００への埋込コンセント１の取付態様について説明する。
図３（ａ）に示されるように、取付枠２０のコンセント本体支持部２１には、コンセント本体１０の表方向Ｚ１側の端部が嵌め込まれる。取付枠２０のコンセント本体嵌込部２４には、コンセント本体１０の突起部１３が嵌め込まれる。
【００３５】
図３（ｂ）に示されるように、施工面１００の裏面側に設けられた収納ボックスＳには、コンセント本体１０の裏方向Ｚ２側の端部が収納されている。プレート本体３０の取付部３３には、カバー４１の取付部４６が取り付けられる。プレート本体３０は、ねじ３４により取付枠２０及び収納ボックスＳに固定される。
【００３６】
ロック機構４０のカバー４１には、カバー４１の裏面側から表面側に向けて窪んだ形状の凹部４２と、この凹部４２内に設けられてプラグボディ５４の段差部５５と係合する係合部４３と、プラグボディ５４の段差部５５の傾斜面に対応した形状の傾斜部４４とが設けられている。以降では、カバー４１がプレート本体３０の開口部を閉鎖した状態において、カバー４１の上方向Ｙ１側に位置する端部を「カバー先端部４１Ａ」とし、カバー４１の下方向Ｙ２側に位置する端部を「カバー基端部４１Ｂ」とする。
【００３７】
凹部４２のカバー先端部４１Ａ側には、カバー先端部４１Ａ側からカバー基端部４１Ｂ側に向かうにつれて裏面側から表面側に傾斜する傾斜面４２Ａが形成されている。凹部４２のカバー基端部４１Ｂ側には、カバー先端部４１Ａ側からカバー基端部４１Ｂ側に向かうにつれて表面側から裏面側に傾斜する傾斜面４２Ｂが形成されている。凹部４２の傾斜面４２Ａと傾斜面４２Ｂとの間には、平面形状の底面４２Ｃが形成されている。
【００３８】
係合部４３は、凹部４２の底面４２Ｃから裏面側に向けて垂直に突出し、カバー４１の左右方向Ｘに延びて形成されている。凹部４２内の空間は、奥行方向Ｚにおいて係合部４３により２つの領域、すなわちカバー先端部４１Ａ側の先端側凹部４８Ａ及びカバー基端部４１Ｂ側の基端側凹部４８Ｂに区画されている。係合部４３の基端部から先端部までの長さは、凹部４２の深さと同じ大きさに設定されている。
【００３９】
傾斜部４４は、先端側凹部４８Ａの中間部から係合部４３までにわたり形成されている。また、カバー先端部４１Ａからカバー基端部４１Ｂに向かうにつれて表面側から裏面側に向けて傾斜している。
【００４０】
カバー４１の取付部４６及びプレート本体３０の取付部３３には、心棒４７を挿入するための孔が形成されている。取付部４６及び取付部３３の各孔をまたいで心棒４７が挿入されることにより、カバー４１がプレート本体３０に取り付けられる。心棒４７には、カバー４１をプレート本体３０の本体挿入孔３１側に向けて付勢するばね４５が取り付けられる。
【００４１】
図４及び図５を参照して、プレート本体３０とロック機構４０との関係について説明する。
図４に示されるように、カバー４１は、心棒４７を回転軸としてプレート本体３０に対して回転することができる。以降では、プレート本体３０に対するカバー４１の回転方向について、カバー４１がプレート本体３０の本体挿入孔３１に近接する方向を「閉方向Ｒ１」とし、カバー４１がプレート本体３０の本体挿入孔３１から離間する方向を「開方向Ｒ２」とする。
【００４２】
図４中の実線で示されるように、カバー４１に対してばね４５の力以外の力が作用していないとき、カバー４１はばね４５の力によりプレート本体３０の表面に接触した状態に保持される。このとき、本体挿入孔３１の開口部の全体がカバー４１により覆われる。
【００４３】
図４中の二点鎖線で示されるように、カバー４１に対してばね４５の力よりも大きい開方向Ｒ２の力が作用したとき、カバー４１はこの力によりプレート本体３０の表面から離間した位置のいずれかに保持される。カバー４１が最大限まで開方向Ｒ２に回転したとき、カバー４１はプレート本体３０に対して略直交した状態に保持される。このとき、本体挿入孔３１の開口部はカバー４１から開放された状態にある。
【００４４】
図５に示されるように、本体挿入孔３１を介してプラグ５０の栓刃５１がコンセント本体１０に挿入された状態において、カバー４１がばね４５の力により閉方向Ｒ１に回転したとき、カバー４１の係合部４３がプラグボディ５４の段差部３５５に係合する。このとき、カバー４１がばね４５により閉方向Ｒ１に付勢されているため、プラグボディ５４には閉方向Ｒ１に向けて押す力がカバー４１から加えられる。カバー４１はプラグ５０に接続されたケーブル５３には接触しない。
【００４５】
図６を参照して、埋込コンセント１へのプラグ５０の挿入手順について説明する。
（手順Ａ）図６（ａ）に示されるように、使用者は、カバー４１に指を掛けてカバー４１を開方向Ｒ２に所定量よりも大きく回転させる。これにより、カバー４１により覆われていた栓刃挿入孔がカバー４１から開放される。
【００４６】
（手順Ｂ）図６（ｂ）に示されるように、使用者は、プラグボディ５４の把持部５６を把持した状態でプラグボディ５４の先端部をカバー４１の先端部の裏面上に載せる。また、左右方向Ｘにおいてはプラグボディ５４をカバー４１の凹部４２と対応させる。
【００４７】
（手順Ｃ）図６（ｃ）に示されるように、使用者は、プラグボディ５４の下部がカバー４１の裏面に接触した状態を保持しつつプラグボディ５４を裏方向Ｚ２に向けて移動させる。カバー４１は、図６（ａ）に示される状態よりもさらに開方向Ｒ２側に回転できるため、プラグボディ５４の移動にともない段差部５５とカバー４１とが接触したときにもプラグボディ５４をカバー４１に対して滑らかに移動させることができる。
【００４８】
（手順Ｄ）図６（ｄ）に示されるように、使用者は、プラグボディ５４の下部がカバー４１の裏面に接触した状態を保持しつつ段差部５５が先端側凹部４８Ａに嵌り込むまでプラグボディ５４を移動させる。段差部５５の前方傾斜部５５Ｂの裏方向Ｚ２側の先端が係合部４３と接触したとき、接地極５２の先端部がコンセント本体１０の接地極挿入口１２に挿入される。
【００４９】
（手順Ｅ）図６（ｅ）に示されるように、使用者は、プラグボディ５４によりカバー４１を開方向Ｒ２に押し下げつつ段差部５５の下端部５５Ａが係合部４３の先端部上に位置するまでプラグボディ５４を移動させる。カバー４１には傾斜部４４が設けられているため、段差部５５を係合部４３上まで移動させるときにもプラグボディ５４をカバー４１に対して滑らかに移動させることができる。栓刃５１は、段差部５５が傾斜部４４上にあるときに先端部がコンセント本体１０の栓刃挿入口１１に挿入される。
【００５０】
（手順Ｆ）図６（ｆ）に示されるように、使用者は、プラグボディ５４によりカバー４１を開方向Ｒ２に押し下げつつ段差部５５が基端側凹部４８Ｂに嵌り込むまでプラグボディ５４を移動させる。段差部５５が基端側凹部４８Ｂに嵌り込んで段差部５５の表面側の端部と係合部４３の裏面側の端部とが接触した状態にあるとき、栓刃５１及び接地極５２のそれぞれの全体がコンセント本体１０に挿入される。このとき、カバー４１がばね４５により閉方向Ｒ１に付勢されているため、係合部４３が段差部５５に押し付けられて係合部４３と段差部５５とが係合した状態に保持される。
【００５１】
なお、使用者はプラグ５０を埋込コンセント１から抜き出すとき、プラグボディ５４を指で摘むとともにプラグボディ５４でカバー４１を下方向Ｙ２に押し下げながらプラグボディ３５４を表方向Ｚ１に向けて引き出す。
【００５２】
以上詳述したように、本実施形態によれば以下に示す効果が得られる。
（１）施工面１００とは反対側にあるコンセント用プレート３の面であるプレート本体３０表面には、本挿入孔３１を覆い閉状態となる動作及び本挿入孔３１から離間して開状態となる動作を行うカバー４１が設けられる。このカバー４１には、プラグ５０の栓刃５１が栓刃挿入口１１に挿入された状態を保持する凹部４２が設けられている。栓刃挿入口１１に栓刃が挿入された状態のプラグが凹部４２により支持されるため、コンセント１からのプラグ５０の抜けを抑制することができる。また、プラグ５０の抜止効果を得るうえで、栓刃挿入口１１に栓刃５１が挿入された状態のプラグ５０をコンセント本体１０に対して回転させる必要がないため、コンセント本体１０の耐久性の低下を抑制することができる。さらに、プラグ５０の栓刃５１が栓刃挿入口１１に挿入された状態を保持する凹部４２を有するカバー４１を設けているため、汎用のコンセント本体１０を用いてプラグ５０を抜け止めすることができる。
【００５３】
（２）ロック機構４０は、プラグ５０の抜止効果を得るうえで、栓刃挿入口１１に栓刃５１が挿入された状態のプラグ５０をコンセント本体１０に対して回転させる必要がないため、使用者がプラグ５０を埋込コンセント１に差し込んだ後に同プラグ５０を回転させる動作を行わなくともプラグ５０の抜けを抑制することができる。
【００５４】
（３）ロック機構４０は、プラグ５０の栓刃５１を差し込んだときにプラグ５０を回転させなくとも抜止機構によるプラグ５０の抜止効果が得られるため、プラグ５０を回転させて抜けを抑制する従来の抜止装置とは異なり、使用者の操作の忘れに起因してプラグ５０の抜けが生じることを抑制することができる。
【００５５】
（４）従来のコンセント用プレートにおいては、使用者がプラグ５０をコンセントに挿入した後にこのプラグ５０を回転させることを忘れたときには、プラグ５０の抜け止めを抑制する効果が得られない。本実施形態では、凹部４２をプラグ５０に向けて付勢するばね４５を含んでいるため、凹部４２をプラグ５０に接触させた後は、使用者が特別の操作を行わなくともばね４５の付勢によりプラグ５０の抜止効果を得ることができる。
【００５６】
（５）凹部４２にはプラグボディ５４の段差部５５と互いに係合する係合部４３が設けられるため、栓刃挿入口１１に栓刃５１が挿入された状態のプラグボディ５４の段差部５５と凹部４２の係合部４３とが互いに係合する。このため、プラグ５０が埋込コンセント１から抜けることをより確実に抑制することができる。
【００５７】
（６）回転が可能な状態でカバー４１がプレート本体３０の表面に取り付けられるとともに、プレート本体３０の表面への取付部３３が栓刃挿入口１１の下方に設けられるため、埋込コンセント１が使用者よりも低いところに配置されているときには、使用者が栓刃挿入口１１の位置を容易に視認することができる。
【００５８】
（７）カバー４１は、栓刃挿入口１１にプラグ５０の栓刃５１が挿入されていないときには栓刃挿入口１１の開口部を覆う。このため、埋込コンセント１が使用されていないときに栓刃挿入口１１に外部から異物が入ることを抑制することができる。
【００５９】
（８）カバー４１は、プラグ５０を支持した状態においてプラグ５０に接続されているケーブル５３には接触しない。このため、プラグ５０の抜けを抑制すること及びケーブル５３に不要な力がかかることを抑制することができる。
【００６０】
（９）ロック機構４０は、プレート本体３０の表方向Ｚ１側に設けられる。このため、使用者は、抜き止め機能が働いているか否かを容易に視認することができる。
（１０）カバー４１は、栓刃挿入口１１にプラグ５０の栓刃５１が挿入されていないときには栓刃挿入口１１の開口部を覆う。このため、埋込コンセント１が使用されていないときに栓刃挿入口１１を防水することができる。また、プラグ５０が差し込まれた状態のときには、カバー４１が開状態となっているため、下方向Ｙ２からの水跳ね等に対して防水効果を得ることができる。
【００６１】
（第２実施形態）
図７及び図８を参照して、本発明の第２実施形態について説明する。
本実施形態の埋込コンセント１は、第１実施形態の埋込コンセント１のプレート本体３０の形状を変更したものとして構成されている。以下にこの変更された部分についての詳細を示す。なお、その他の点については第１実施形態と同様の構成が採用されているため、共通する構成については同一の符号を付してその説明を省略する。
【００６２】
図７に示されるように、プレート本体２３０上方の端部が裏方向Ｚ２に向かうにつれて上方向Ｙ１に向かい、下方の端部が裏方向Ｚ２に向かうにつれて下方向Ｙ２に向かう形状となっている。すなわち、プレート本体２３０は側面において台形形状をしている。また、コンセント本体１０の位置と対応する部分には、プラグ５０の形状に対応した、すなわちプラグボディ５４の外径よりも大きな凹部２３５が設けられる。そして、この凹部２３５の底面、すなわち裏方向Ｚ２側の面には、本体挿入孔２３１が設けられて、開口している。凹部２３５の底面に相当する部分は全て取り除かれている。この取り除かれた部分が本体挿入孔２３１として形成されている。プレート本体２３０の上下方向Ｙの両端部には、取付枠２０のねじ孔２２に対応するねじ孔２３２が設けられている。また、プレート本体２３０の凹部２３５の奥行方向Ｚにおける長さＬＡは、栓刃５１の奥行方向Ｚにおける長さよりも大きい。
【００６３】
図８を参照して、プレート本体３０とロック機構４０との関係について説明する。
図８（ａ）に示されるように、カバー４１は、心棒４７を回転軸としてプレート本体２３０に対して回転することができる。図８（ａ）中の実線で示されるように、カバー４１に対してばね４５の力以外の力が作用していないとき、カバー４１はばね４５の力によりプレート本体２３０の表面に接触した状態に保持される。このとき、凹部２３５の開口部の全体がカバー４１により覆われる。また、図８（ａ）中の二点鎖線で示されるように、カバー４１に対してばね４５の力よりも大きい開方向Ｒ２の力が作用したとき、カバー４１はこの力によりプレート本体２３０の表面から離間した位置のいずれかに保持される。カバー４１が最大限まで開方向Ｒ２に回転したとき、カバー４１はプレート本体２３０に対して略直交した状態に保持される。このとき、凹部２３５はカバー４１から開放された状態にある。
【００６４】
図８（ｂ）に示されるように、本体挿入孔２３１を介してプラグ５０の栓刃５１がコンセント本体１０に挿入された状態において、カバー４１の係合部４３がプラグボディ５４の段差部５５に係合する。このとき、カバー４１がばね４５により閉方向Ｒ１に付勢されているため、プラグボディ５４には閉方向Ｒ１に向けて押す力がカバー４１から加えられる。
【００６５】
以上詳述したように、本実施形態によれば第１実施形態の（１）〜（１０）の効果に加えて、以下に示す効果が得られる。
（１１）プレート本体２３０の表面には、プラグ５０の形状に対応した凹部２３５が設けられ、この凹部２３５の底面に本挿入孔２３１が形成されているため、プラグ５０の栓刃５１が栓刃挿入口１１に差し込まれたとき、栓刃５１の根元となるプラグ５０の面はプレート本体２３０の表面よりも奥側にある凹部２３５の底面と接触する。従って、栓刃挿入口１１に差し込まれた栓刃５１が露出することをより好適に抑制することができる。
【００６６】
（第３実施形態）
図９及び図１０を参照して、本発明の第３実施形態について説明する。
本実施形態の埋込コンセント１は、第１実施形態のロック機構を汎用のプラグに対応するように変更したものとして構成されている。以下にこの変更された部分についての詳細を示す。なお、その他の点については第１実施形態と同様の構成が採用されているため、共通する構成については同一の符号を付してその説明を省略する。
【００６７】
図９に示されるように、ロック機構３４０は、コンセント本体１０に挿入された状態のプラグ３５０を支持するカバー３４１と、本体３３０に設けられた取付部３３３とを含めて構成されている。カバー３４１は、その外周縁が本体３３０に向けて突出形成されており、閉状態においてこの外周縁が本体３３０の表面と接触する。カバー３４１の下方向Ｙ２側の端部には、取付部３３３に取り付けるための取付部３４６が設けられている。カバー３４１の裏面側には、同裏面から突出形成された保持部３４２が設けられている。保持部３４２には、プラグ３５０の段差部３５５と係合する係合部３４３が設けられている。係合部３４３は、その形状がプラグ３５０の栓刃５１を栓刃挿入口１１に全て挿入した状態におけるプラグボディ３５４の段差部３５５と一致するように形成されている。
【００６８】
カバー３４１の取付部３４６及び本体３３０の取付部３３３には、それぞれ１本の心棒３４７を挿入するための孔が形成されている。カバー３４１は、取付部３４６及び取付部３３３の各孔をまたいで心棒３４７が挿入されることにより、本体３３０に取り付けられる。心棒３４７には、カバー３４１を本体３３０の本体挿入孔３３１側に付勢するばね３４５が取り付けられる。
【００６９】
図１０を参照して、本体３３０とロック機構３４０との関係について説明する。
図１０に示されるように、カバー３４１は、心棒３４７を回転軸として本体３３０に対して回転することができる。図１０中の実線で示されるように、カバー３４１に対してばね３４５の力以外の力が作用していないとき、カバー３４１はばね３４５の力により本体３３０の表面に接触した状態に保持される。このとき、凹部２３５の全体がカバー３４１により覆われる。
【００７０】
カバー３４１に対してばね３４５の力よりも大きい開方向Ｒ２の力が作用したとき、カバー３４１はこの力により本体３３０の表面から離間した位置のいずれかに保持される。図１０中の二点鎖線で示されるように、カバー３４１が最大限まで開方向Ｒ２に回転したとき、カバー３４１は本体３３０に対して略直交した状態に保持される。このとき、本体挿入孔３１の開口部はカバー３４１から開放された状態にある。
【００７１】
図１１を参照して、埋込コンセント１へのプラグ３５０の挿入手順について説明する。
（手順Ａ）図１１（ａ）に示されるように、プラグボディ３５４を指先でつまみ、他方の手の指をカバー３４１にかけてカバー３４１を開方向Ｒ２に回転させる。
【００７２】
（手順Ｂ）図１１（ｂ）に示されるように、プラグ３５０を裏方向Ｚ２に向けて移動させ、コンセント本体１０に栓刃３５１及び接地極３５２の全長を挿入する。
（手順Ｃ）図１１（ｃ）に示されるように、プラグボディ３５４をつまむ指をプラグボディ３５４から離すとともにカバー３４１を押し開く指をカバー３４１から離す。このとき、指が外されたことによりカバー３４１には、ばね３４５によって先端が上方向Ｙ１に向かう力が勝りカバー３４１は上方向Ｙ１に向かって回転するとともに、カバー３４１の背面に設けられた係合部３４３がプラグボディ３５４の外周の凹部と接触して係合する。従って、カバー３４１によって、プラグ３５０に対して裏方向Ｚ２への力が付与されるため、この力によってプラグ３５０と埋込コンセント１との挿入状態が保持される。
【００７３】
なお、プラグ３５０を埋込コンセント１から抜き出すときには、再び指でカバー３４１を下方向Ｙ２に押し下げてカバー３４１の係合部３４３とプラグボディ３５４との係合を解除した状態にて、プラグボディ３５４を摘んで栓刃３５１を表方向Ｚ１に向けて引き出す。そして、カバー３４１から指を外すことで、カバー３４１の背面で本体３３０の前面が接触する。
【００７４】
以上詳述したように、本実施形態によれば第１実施形態の（１）〜（１０）の効果に加えて、以下に示す効果が得られる。
（１２）本実施形態では、プラグボディ５４の形状に合わせてロック機構３４０すなわちカバー３４１及び係合部３４３を設けている。すなわち、汎用のプラグ３５０に対応するコンセントに対しても抜止機能を働かせることができるようになる。
【００７５】
（第４実施形態）
図１２を参照して、本発明の第４実施形態について説明する。
本実施形態の埋込コンセント１は、第３実施形態の取付枠を汎用の取付枠に変更したものとして構成されている。以下にこの変更された部分についての詳細を示す。なお、その他の点については第３実施形態と同様の構成が採用されているため、共通する構成については同一の符号を付してその説明を省略する。
【００７６】
図１２に示されるように、取付枠４２０には、コンセント本体１０の表側端部の周囲を支持するためのコンセント本体支持部４２１と、コンセント本体１０の突起部１３をはめ込むためのコンセント本体嵌込部４２４が設けられている。コンセント本体嵌込部４２４には、コンセント本体１０を上下方向Ｙに３つ並べて取り付けるための３つの支持部４２４Ａが設けられている。この実施形態の埋込コンセントでは、３つの支持部４２４Ａのうち中央の支持部４２４Ａのみにコンセント本体１０が取り付けられる。この支持部４２４Ａによって、コンセント本体１０は、第３実施形態とは上下方向Ｙが左右方向Ｘになるように、すなわち９０度回転した状態で取り付けられる。
【００７７】
本体３３０の本体挿入孔４３１は、コンセント本体１０の方向に対応して設けられている。すなわち、第３実施形態とは上下方向Ｙが左右方向Ｘになるように、すなわち９０度回転した状態で設けられている。
【００７８】
以上詳述したように、本実施形態によれば第１実施形態の（１）〜（１０）及び第３実施形態の（１２）の効果に加えて、以下に示す効果が得られる。
（１３）本実施形態では、汎用の取付枠４２０を用いているため、既存のコンセントにロック機構３４０を追加したいときに、既存の取付枠４２０を用いることができるため、取り付けにかかる使用者の金銭的な負担を低減させることができるようになる。
【００７９】
（第５実施形態）
図１３を参照して、本発明の第５実施形態について説明する。
本実施形態の埋込コンセントは、第４実施形態の本体を汎用の本体に変更したものとして構成されている。以下にこの変更された部分についての詳細を示す。なお、その他の点については第４実施形態と同様の構成が採用されているため、共通する構成については同一の符号を付してその説明を省略する。
【００８０】
図１３に示されるように、ロック機構５４０は、汎用のプレート本体５３０と接続されるベースプレート５６１と、コンセント本体１０に挿入された状態のプラグ３５０を支持するカバー３４１と、ベースプレート５６１に設けられた接続部５６３とを含めて構成されている。
【００８１】
ベースプレート５６１には、コンセント本体１０の位置と対応する部分に、プラグ３５０の形状に対応した、すなわちプラグボディ３５４の外径よりも大きなプラグ孔５６２が設けられる。そして、このプラグ孔５６２の底面、すなわち裏方向Ｚ２側の開口面には、プレート本体５３０の本体挿入孔５３１が設けられている。
【００８２】
プレート本体５３０には、プレート本体５３０を取付枠２０及び施工面１００に固定するねじ３４のための２つのねじ孔５３２のほか、ベースプレート５６１と接続するためのねじ穴５３５が本体挿入孔５３１の外周の４箇所を形成する。そして、ベースプレート５６１のプラグ孔５６２と本体３３０の本体挿入孔３１の位置を合わせた状態に設定したうえで、ベースプレート５６１の四隅に設けられたねじ孔５６４と同ねじ孔５６４と対応する位置に設けられたプレート本体５３０のねじ穴５３５にねじをねじこみ、ベースプレート５６１とプレート本体５３０を接続することにより、ベースプレート５６１がプレート本体５３０に対して固定される。すなわち、プレート本体５３０に、ベースプレート５６１によってロック機構４０が設けられる。
【００８３】
以上詳述したように、本実施形態によれば第１実施形態の（１）〜（１０）の効果に加えて、以下に示す効果が得られる。
（１４）本実施形態ではカバー３４１は、汎用のプレート本体５３０に接続されるものであるため、汎用のプレート本体５３０を取り外すことなく、さらにプレート本体５３０をこれに追加するだけで、プラグ５０の抜止効果を得ることができる。
【００８４】
（その他の実施形態）
なお、本発明の実施態様は上記実施形態に限られるものではなく、例えば以下に示す態様をもって実施することもできる。また以下の各変形例は、上記実施形態についてのみ適用されるものではなく、異なる変形例同士を互いに組み合わせて実施することもできる。
【００８５】
・上記第１及び第２実施形態では、電気自動車の充電用プラグ５０を差し込むことのできる埋込コンセント１としたが、プラグインハイブリッド自動車の充電用プラグを差し込むことのできる埋込コンセントすることもできる。
【００８６】
・上記第２実施形態では、凹部２３５の底面に相当する部分は全て取り除かれて、この取り除かれた部分が本体挿入孔２３１として形成されるようにしたが、凹部２３５の底面は全て取り除かなくともよい。
【００８７】
・上記第３実施形態では、カバー４１がプレート本体３０の本体挿入孔３１を塞いでいる状態において、カバー４１の本体側に突出した外周縁とプレート本体３０の前面とが接触して、係合部４３が外周縁とプレート本体３０の前面とから形成される空間に収納されるようにしたが、係合部４３がプレート本体３０の前面と接触するようにしてもよい。
【００８８】
・上記第４実施形態では、コンセント本体１０を１つのみ設けるようにしたが、複数のコンセント本体１０を設けることもできる。この場合、プレート本体３０にはコンセント本体１０の数に応じた複数のプラグ挿入孔が設けられる。また、ロック機構については複数のプラグ挿入孔のそれぞれに対応して設けられる。
【００８９】
・上記第５実施形態では、プレート本体５３０にベースプレート５６１をねじで止めるようにしたが、ベースプレート５６１を施工面１００にねじ等で固定するようにしてもよい。
【００９０】
・上記第５実施形態では、ベースプレート５６１をプレート本体５３０に取り付ける構成を採用したが、ベースプレート５６１を省略してカバー３４１をプレート本体５３０に取り付ける構成に変更することもできる。
【００９１】
・上記各実施形態では、カバー４１の取付部４６をプレート本体３０に取り付けるための取付部３３を本体挿入孔３１の下方向Ｙ２側に設けたが、本体挿入孔３１の上方向Ｙ１側または右方向Ｘ１側または左方向Ｘ２側に設けることもできる。
【００９２】
・上記各実施形態では、カバー４１をばね４５により閉方向Ｒ１に付勢するようにしたが、ばね４５に代えて、磁石またはゴムによりカバー４１を付勢することもできる。
・上記各実施形態では、上下方向Ｙ及び左右方向Ｘに沿う断面の形状が矩形状であり、且つ上下方向Ｙの辺が左右方向Ｘの辺よりも長い形状の栓刃５１，３５１を有するプラグ５０，３５０を前提として埋込コンセント１を構成したが、同断面上での形状が矩形状であり、且つ左右方向の辺が上下方向の辺よりも長い形状の栓刃５１を有するプラグを前提とした構成に変更することもできる。
【００９３】
・上記各実施形態では、カバー４１を閉方向Ｒ１に付勢するばね４５を設けるようにしたが、カバー４１を付勢する要素を省略して埋込コンセント１を構成することもできる。この場合にも、コンセント本体１０に挿入されたプラグ５０のプラグボディ５４とカバー４１の係合部４３とを係合することにより、プラグ５０がカバー４１により支持されるため、プラグ５０の抜けを抑制する効果を得ることができる。
【００９４】
・上記各実施形態では、カバー４１にプラグボディ５４と係合する係合部４３を設けるようにしたが、係合部４３を省略してカバー４１を構成することもできる。この場合にも、コンセント本体１０に挿入されたプラグ５０のプラグボディ５４に対してカバー４１がばね４５により押し付けられてプラグ５０がカバー４１により支持されるため、プラグ５０の抜けを抑制する効果を得ることができる。
【００９５】
・上記各実施形態では、接地極５２，３５２を有する埋込コンセント１として本発明を具体化したが、接地極５２，３５２が省略された構造の埋込コンセントとして本発明を具体化することもできる。
【００９６】
・上記各実施形態では、プラグ５０の保持部として本体挿入孔３１を覆う役割も担うカバー４１を採用したが、プラグ５０の保持部の構成としてはこれに限られるものではない。例えば、図１０に示されるカバー３４１の左右方向Ｘの大きさを小さくし、上下方向Ｙを取付部３４６から係合部３４３までの大きさにし、すなわち係合部３４３が設けられる棒状の保持部とすることもできる。
【符号の説明】
【００９７】
１…埋込コンセント、１０…コンセント本体、１１…栓刃挿入口、１２…接地極挿入口、１３…突起部、２０，４２０…取付枠、２１，４２１…コンセント本体支持部、２２…ねじ孔、２４，４２４…コンセント本体嵌込部、４２４Ａ…支持部、３０，２３０，３３０，５３０…本体、３１，２３１，３３１，４３１，５３１…本体挿入孔（開口部）、３２，２３２，５３２…ねじ孔、３３，３３３…取付部、３４…ねじ、２３５…凹部、５３５…ねじ穴、４０，３４０，５４０…ロック機構（抜止装置）、４１，３４１…カバー（扉体）、４１Ａ…カバー先端部、４１Ｂ…カバー基端部、４２…凹部（保持部）、４２Ａ…傾斜面、４２Ｂ…傾斜面、４２Ｃ…底面、４３，３４３…係合部、４４…傾斜部、４５，３４５…ばね（付勢部）、４６，３４６…取付部、４７，３４７…心棒、４８Ａ…先端側凹部、４８Ｂ…基端側凹部、３４２…保持部、５６１…ベースプレート、５６２…プラグ孔、５６３…接続部、５６４…ねじ孔、５０…充電用プラグ、３５０…プラグ、５１，３５１…栓刃、５２，３５２…接地極、５３…ケーブル、５４，３５４…プラグボディ、５５，３５５…段差部、５５Ａ…下端部、５５Ｂ…前方傾斜部、５５Ｃ…側方傾斜部、５６…把持部、５７…位置表示部、１００…施工面。
【図１】
2011129307.tif 000003
【図２】
2011129307.tif 000004
【図３】
2011129307.tif 000005
【図４】
2011129307.tif 000006
【図５】
2011129307.tif 000007
【図６】
2011129307.tif 000008
【図７】
2011129307.tif 000009
【図８】
2011129307.tif 000010
【図９】
2011129307.tif 000011
【図１０】
2011129307.tif 000012
【図１１】
2011129307.tif 000013
【図１２】
2011129307.tif 000014
【図１３】
2011129307.tif 000015